(57)【要約】【課題】長波長のレーザーにより適切に記録されたバーコードパターン（管理情報）を備えた情報記憶媒体を提供することにある。【解決手段】ディスク状の情報記憶媒体は、同心円状の管理情報エリアと、同心円状のデータエリアとを備え、前記管理情報エリアは、半径方向に並んだ複数の溝と、この溝上に塗布された色素材料と、これら複数の溝を半径方向に遮って形成され且つ円周方向に並んだ複数の棒状のパターンとを含み、前記データエリアは、半径方向に並んだ複数の溝と、この溝上に塗布された色素材料とを含み、この円周方向に並んだ複数の棒状のパターンは、管理情報を構成する。【選択図】      図１
2006155785.tif 000002
【特許請求の範囲】
【請求項１】
ディスク状の情報記憶媒体であって、
同心円状の管理情報エリアと、
同心円状のデータエリアと、
を備え、
前記管理情報エリアは、半径方向に並んだ複数の溝と、この溝上に塗布された色素材料と、これら複数の溝を半径方向に遮って形成され且つ円周方向に並んだ複数の棒状のパターンとを含み、
前記データエリアは、半径方向に並んだ複数の溝と、この溝上に塗布された色素材料とを含み、
この円周方向に並んだ複数の棒状のパターンは、管理情報を構成する、
ことを特徴とする情報記憶媒体。
【請求項２】
前記管理情報エリア内における半径方向に隣接し合う溝同士の間の距離Ｄ１と、前記データエリア内における半径方向に隣接し合う溝同士の間の距離Ｄ２とは、
Ｄ１≦Ｄ２
の関係を満たすことを特徴とする請求項１に記載の情報記憶媒体。
【請求項３】
前記管理情報エリア内における半径方向に隣接し合う溝同士の間の距離Ｄ１と、前記データエリア内における半径方向に隣接し合う溝同士の間の距離Ｄ２とは、
Ｄ２×０．５０≦Ｄ１≦Ｄ２×１．０５
の関係を満たすことを特徴とする請求項１に記載の情報記憶媒体。
【請求項４】
前記管理情報エリア内における半径方向に隣接し合う溝同士の間の距離Ｄと、前記管理情報エリア内における溝の幅Ｗとは、
Ｄ／２＜Ｗ
の関係を満たすことを特徴とする請求項１に記載の情報記憶媒体。
【請求項５】
前記管理情報エリア内における半径方向に隣接し合う溝同士の間の距離Ｄと、前記管理情報エリア内における溝の幅Ｗとは、
Ｄ×０．６＜Ｗ＜Ｄ×０．８
の関係を満たすことを特徴とする請求項１に記載の情報記憶媒体。
【請求項６】
ディスク状の情報記憶媒体をプレスにより成形するためのスタンパーであって、
同心円状の管理情報エリアをプレスにより成形するための第１のスタンプエリアと、
同心円状のデータエリアをプレスにより成形するための第２のスタンプエリアと、
を備え、
前記第１のスタンプエリアは、半径方向に並んだ複数の溝を含み、
前記第２のスタンプエリアは、半径方向に並んだ複数の溝を含む、
ことを特徴とするスタンパー。
【請求項７】
前記第１のスタンプエリア内における半径方向に隣接し合う溝同士の間の距離Ｄ１と、前記第２のスタンプエリア内における半径方向に隣接し合う溝同士の間の距離Ｄ２とは、
Ｄ１≦Ｄ２
の関係を満たすことを特徴とする請求項５に記載のスタンパー。
【請求項８】
前記第１のスタンプエリア内における半径方向に隣接し合う溝同士の間の距離Ｄ１と、前記第２のスタンプエリア内における半径方向に隣接し合う溝同士の間の距離Ｄ２とは、
Ｄ２×０．５０≦Ｄ１≦Ｄ２×１．０５
の関係を満たすことを特徴とする請求項５に記載のスタンパー。
【請求項９】
前記第１のスタンプエリア内における半径方向に隣接し合う溝同士の間の距離Ｄと、前記第１のスタンプエリア内における溝の幅Ｗとは、
Ｄ／２＜Ｗ
の関係を満たすことを特徴とする請求項５に記載のスタンパー。
【請求項１０】
前記第１のスタンプエリア内における半径方向に隣接し合う溝同士の間の距離Ｄと、前記第１のスタンプエリア内における溝の幅Ｗとは、
Ｄ×０．６＜Ｗ＜Ｄ×０．８
の関係を満たすことを特徴とする請求項５に記載のスタンパー。
【請求項１１】
同心円状の管理情報エリアは、半径方向に並んだ複数の溝と、この溝上に塗布された色素材料と、これら複数の溝を半径方向に遮って形成され且つ円周方向に並んだ複数の棒状のパターンとを含み、同心円状のデータエリアは、半径方向に並んだ複数の溝と、この溝上に塗布された色素材料とを含み、円周方向に並んだ複数の棒状のパターンは、管理情報を構成し、前記管理情報エリア及び前記データエリアを備えたディスク状の情報記憶媒体から前記管理情報を再生するディスク装置であって、
前記管理情報エリアに対して光ビームを照射する照射手段と、
前記照射手段により照射された光ビームに基づき前記管理情報を再生する再生手段と、
を備えたことを特徴とするディスク装置。
【請求項１２】
同心円状の管理情報エリアは、半径方向に並んだ複数の溝と、この溝上に塗布された色素材料と、これら複数の溝を半径方向に遮って形成され且つ円周方向に並んだ複数の棒状のパターンとを含み、同心円状のデータエリアは、半径方向に並んだ複数の溝と、この溝上に塗布された色素材料とを含み、円周方向に並んだ複数の棒状のパターンは、管理情報を構成し、前記管理情報エリア及び前記データエリアを備えたディスク状の情報記憶媒体から前記管理情報を再生する管理情報再生方法であって、
前記管理情報エリアに対して光ビームを照射し、
前記照射された光ビームの反射光を検出し、
前記検出された検出信号に基づき前記管理情報を再生する、
ことを特徴とする管理情報再生方法。
【発明の詳細な説明】
【技術分野】
【０００１】
本発明は、例えばＤＶＤ−Ｒなどのディスク状の情報記憶媒体に関する。また、本発明は、ディスク状の情報記憶媒体をプレスにより成形するためのスタンパーに関する。また、本発明は、同心円状の管理情報エリアに並んだ棒状のパターンから管理情報を再生するディスク装置及び管理情報再生方法に関する。
【背景技術】
【０００２】
ＤＶＤ等の光ディスクには、バーコード状のパターンが記録されるＢＣＡ（Burst Cutting Area）と呼ばれる領域が設けられている。このバーコード状のパターンは、ディスクの反射膜をレーザーで焼き切ったり、ディスクの相変化記録膜を相変化させたりして、記録される。例えば、バーコード状のパターンに対応した変調信号とディスク回転モーターからの信号とを同期させて、ディスク上にバーコード状のパターンを記録する技術が提案されている（特許文献１参照）。
【特許文献１】特開２００４−１５２４２９号公報
【発明の開示】
【発明が解決しようとする課題】
【０００３】
現世代の光ディスクよりもさらに記録密度が向上する次世代の光ディスクの処理には、現世代の光ディスクの処理に用いられている波長のレーザーよりもさらに波長の短いレーザーが利用される。
【０００４】
色素材料を用いた追記型光ディスクの記録特性は、レーザーの波長に依存する。このため、次世代の短波長対応の光ディスクには、現世代の光ディスクの処理に対応した長波長のレーザーではバーコードパターンを適切に記録することができないという問題がある。
【０００５】
本発明の目的は、上記課題を解決するためになされたものであり、長波長のレーザーにより適切に記録されたバーコードパターン（管理情報）を備えた情報記憶媒体を提供することにある。また、本発明の目的は、長波長のレーザーによるバーコードパターン（管理情報）の記録を可能とした情報記憶媒体をプレスにより成形することが可能なスタンパーを提供することにある。また、本発明の目的は、バーコードパターン（管理情報）を正しく再生することが可能なディスク装置及び管理情報再生方法を提供することにある。
【課題を解決するための手段】
【０００６】
この発明の情報記憶媒体、スタンパー、ディスク装置、管理情報再生方法は、以下のように構成されている。
【０００７】
（１）この発明の情報記憶媒体は、同心円状の管理情報エリアと、同心円状のデータエリアとを備え、前記管理情報エリアは、半径方向に並んだ複数の溝と、この溝上に塗布された色素材料と、これら複数の溝を半径方向に遮って形成され且つ円周方向に並んだ複数の棒状のパターンとを含み、前記データエリアは、半径方向に並んだ複数の溝と、この溝上に塗布された色素材料とを含み、この円周方向に並んだ複数の棒状のパターンは、管理情報を構成する。
【０００８】
（２）この発明のスタンパーは、同心円状の管理情報エリアをプレスにより成形するための第１のスタンプエリアと、同心円状のデータエリアをプレスにより成形するための第２のスタンプエリアとを備え、前記第１のスタンプエリアは、半径方向に並んだ複数の溝を含み、前記第２のスタンプエリアは、半径方向に並んだ複数の溝を含む。
【０００９】
（３）この発明のディスク装置は、管理情報エリア及びデータエリアを備えたディスク状の情報記憶媒体から管理情報を再生する装置であって、
前記管理情報エリアは、半径方向に並んだ複数の溝と、この溝上に塗布された色素材料と、これら複数の溝を半径方向に遮って形成され且つ円周方向に並んだ複数の棒状のパターンとを含み、前記データエリアは、半径方向に並んだ複数の溝と、この溝上に塗布された色素材料とを含み、円周方向に並んだ複数の棒状のパターンは、管理情報を構成しており、
このディスク装置は、前記管理情報エリアに対して光ビームを照射する照射手段と、前記照射手段により照射された光ビームの反射光に基づき前記管理情報を再生する再生手段とを備えている。
【００１０】
（４）この発明の管理情報再生方法は、管理情報エリア及びデータエリアを備えたディスク状の情報記憶媒体から管理情報を再生する方法であって、
前記管理情報エリアは、半径方向に並んだ複数の溝と、この溝上に塗布された色素材料と、これら複数の溝を半径方向に遮って形成され且つ円周方向に並んだ複数の棒状のパターンとを含み、前記データエリアは、半径方向に並んだ複数の溝と、この溝上に塗布された色素材料とを含み、円周方向に並んだ複数の棒状のパターンは、管理情報を構成しており、
この管理情報再生方法は、前記管理情報エリアに対して光ビームを照射し、前記照射された光ビームの反射光を検出し、前記検出された検出信号に基づき前記管理情報を再生する。
【発明の効果】
【００１１】
本発明によれば、長波長のレーザーにより適切に記録されたバーコードパターン（管理情報）を備えた情報記憶媒体を提供できる。また、本発明によれば、長波長のレーザーによるバーコードパターン（管理情報）の記録を可能とした情報記憶媒体をプレスにより成形することが可能なスタンパーを提供できる。また、本発明によれば、バーコードパターン（管理情報）を正しく再生することが可能なディスク装置及び管理情報再生方法を提供できる。
【発明を実施するための最良の形態】
【００１２】
以下、図面を参照し、本発明の実施形態について説明する。
【００１３】
図１は、本発明の情報記憶媒体の一例の光ディスク（追記型光ディスク）におけるＢＣＡ（Burst Cutting Area）の構成を示す図である。また、図２は、この光ディスクの作成方法の流れを示す図である。なお、見方を変えると、図１は、本発明の一例のスタンパーにおけるＢＣＡの構成を示す図でもある。なお、スタンパーとは、光ディスクをプレスにより成形するためのものである。
【００１４】
光ディスクＯＤには、ディスク製造時にディスク固有の情報又は管理情報をあらかじめ記録される。ディスク固有の情報とは、例えばコピープロテクション情報である。例えば、コピープロテクション情報は、個々のディスクの識別に使用される。
【００１５】
ＣＤ，ＤＶＤ，ＢＤ，ＨＤ ＤＶＤなどの光ディスクにおいて、このようなディスク固有の情報又は管理情報はディスク内周部のＢＣＡ内にバーコード状のパターンとして、あらかじめ刻まれる。このようなバーコード状のパターンが刻まれたＢＣＡをディスク上に設けるには、光ディスク成形時の型となるスタンパーにＢＣＡ内のバーコード状のパターンを刻んでおくという方法がある。ディスク一枚一枚に固有の情報を記憶するためには、製盤後のディスクに対してレーザーなどによりＢＣＡ内にバーコード状のパターンを刻む方法もある。再生専用ディスクの場合は、アルミなどの反射膜をレーザーなどで焼き切ってバーコード状のパターンを刻む。また、相変化記録型ディスクの場合は、相変換記録膜をレーザーで相変化させて反射率を変えることでバーコード状のパターンを記録する。
【００１６】
しかし有機色素材料を用いた追記型の光ディスクの場合、ＢＣＡ記録装置によりレーザー光を照射しても適切にＢＣＡパターンが刻めないという問題がある。これはひとつには色素材料の波長依存性が高いことが挙げられる。ＢＣＡ記録装置は、現世代の波長（例えば６５０ｎｍ）のレーザーにより光ディスクに対してＢＣＡパターンを刻む。しかしながら、次世代の短波長（例えば４０５ｎｍ）対応の光ディスクに対して、現世代の波長（例えば６５０ｎｍ）のレーザーを照射しても、ＢＣＡパターンを適切に刻めない。また追記型の光ディスクには、反射膜として熱伝導の良い銀（Ａｇ）系の材料が使用される。ＢＣＡ記録装置から出力されるレーザースポットのパワー密度は低く、熱量が足りない。従って、このようなＢＣＡ記録装置では、感度不足で追記型の光ディスクに対してＢＣＡパターンを適切に記録できない。
【００１７】
そこで本発明では、有機色素材料を記録層として用いた追記型光ディスク（波長４０５ｎｍ対応の光ディスク）の構成を次のようにする。光ディスクの成形基板上のＢＣＡ対応個所にあらかじめスパイラル状又は同心円状の溝を設け、またデータ領域対応個所にもスパイラル状又は同心円状の溝を設ける。これにより、図１に示すように、スタンパーＳＴ上の同心円状のＢＣＡ１１（第１のスタンプエリア）上にスパイラル状又は同心円状の溝１３が形成され、またスタンパーＳＴ上の同心円状のデータ領域２１（第２のスタンプエリア）上にもスパイラル状又は同心円状の溝２３が形成される。つまり、光ディスクＯＤ上の同心円状のＢＣＡ１１にスパイラル状又は同心円状の溝１３が形成され、また光ディスクＯＤ上の同心円状のデータエリア２１上にもスパイラル状又は同心円状の溝２３が形成される。
【００１８】
ディスク上に並んだ溝１３、２３には色素を溜めることが出来る。ＢＣＡ１１の溝１３内に溜まった色素をＢＣＡ記録装置のレーザー（波長６５０ｎｍのレーザ）により化学変化させることにより、ＢＣＡ１１上にＢＣＡパターン（棒状のパターン）１２を適切に記録することができる。なお、ＢＣＡパターン１２は、複数の溝１３を半径方向に遮って形成され、円周方向に複数個並んだＢＣＡパターン１２により、ディスク固有の情報又は管理情報が構成される。このように、波長４０５ｎｍ対応の光ディスクであっても、色素を溜めることが可能な光ディスク構造にすることにより、ＢＣＡ記録装置からの波長６５０ｎｍのレーザーに対する実質的な色素の感度を上げることが出来る。
【００１９】
なお、ＢＣＡパターン１２は、幅(接線方向)数十μｍ、長さ(半径方向)数百μｍ程度のバーコード状のパターンである。また、ＢＣＡ１１上に刻まれる半径方向に隣接し合う溝１３同士の距離（ピッチ）は、数μｍ以下である。さらに言うと、ＢＣＡ１１内における半径方向に隣接し合う溝１３同士の間の距離Ｄ１と、データエリア２１内における半径方向に隣接し合う溝２３同士の間の距離Ｄ２とは、Ｄ１≦Ｄ２の関係を満たす。また、ＢＣＡ１１内における半径方向に隣接し合う溝１３同士の間の距離Ｄと、ＢＣＡ１１内における溝１３の幅Ｗとは、Ｄ／２＜Ｗの関係を満たす。
【００２０】
本実施形態では、光ディスクＯＤは、直径１２０ｍｍで厚さが１．２ｍｍ（０．６ｍｍのポリカーボネート成形基板２枚の貼り合せ）であり、かつ有機色素材料を記録層に用いた追記型の光ディスクであり、ＢＣＡ１１は半径２２．３〜２３．１ｍｍのドーナツ状に形成されているとする。この光ディスクＯＤの記録再生には、記録再生光として波長４０５ｎｍを採用し、ＮＡ０．６５の光学系を採用する。また、データエリア２１に形成され半径方向に隣接し合う溝２３同士の間の距離（トラックピッチ）は、４００ｎｍである。なお、本発明は、このスペックに限定されるものではない。
【００２１】
光ディスクの材料としては、成形基板がポリカーボネート、成形に用いるスタンパがニッケル(Ni)、記録層がアゾ系、ジアゾ系、シアニン系、フタロシアニン系、スチリル系、もしくはこれらの混合物からなる有機色素材料、反射膜が銀(Ag)、アルミ(Al)、金(Au)またはこれらをベースとする金属化合物、接着剤はアクリル系またはエポキシ系の紫外線硬化樹脂、とする。但し、本発明は、これらの材料に限定されるものではない。
【００２２】
図２を参照して、光ディスクＯＤの作成方法の流れを説明する。原盤としては表面を研磨洗浄したガラスを用いる(ＳＴ２１)。その原盤表面にフォトレジストを塗布し(ＳＴ２２)、その表面をレーザービームなどで露光することで情報を記録する（ＳＴ２３)。次に露光した原盤を現像し、ピットやグルーブ溝の凹凸を形成する(ＳＴ２４)。その後、その原盤をメッキ処理することでスタンパーＳＴを作成する(ＳＴ２５)。スタンパーＳＴの材料は、主にニッケルである。そのスタンパーＳＴを型として射出成形により樹脂成形基板を作成する(ＳＴ２６)。樹脂としては、ポリカーボネートが採用される。こうして作られた成形基板上に、記録層として有機色素をスピンコートにより塗布する（ＳＴ２７)。そして、その色素層の上に反射層を形成し、基板を貼り合せることで光ディスクの形状になる(ＳＴ２８)。この貼り合せディスクのＢＣＡ１１に対して、ＢＣＡ記録装置によりディスク固有のＢＣＡパターン１２が記録される。
【００２３】
なお、原盤露光の工程（ＳＴ２３）では、光ディスクの半径２２．３〜２３．１ｍｍのＢＣＡ１１に対して、溝１３が露光される。これにより、成形工程(ＳＴ２６)で出来上がる成形基板上には溝１３が刻まれている事となる。なお、この原盤露光の工程（ＳＴ２３）では、データエリア２１に対しても、溝２３が露光される。これにより、成形工程(ＳＴ２６)で出来上がる成形基板上には溝２３も刻まれている事となる。色素塗布工程(ＳＴ２７)では、溝１３に色素を溜めることが出来（同様に溝２３にも色素を溜めることが出来）、最後のＢＣＡ記録の工程で色素の実質的な感度を上げることが出来る。
【００２４】
ＢＣＡ１１内の溝１３の幅とデータエリア２１の溝２３の幅とが全く違うサイズであると、原盤露光の際にＢＣＡ１１の溝１３とデータエリア２１の溝２３を同じ露光機の同じプロセスで作成することができない。ディスク製造効率の点で、ＢＣＡ１１内における半径方向に隣接し合う溝１３同士の間の距離（トラックピッチ）Ｄ１を、データエリア２１内における半径方向に隣接し合う溝２３同士の間の距離（トラックピッチ）Ｄ２と同程度としてもよい。つまり、Ｄ１＝Ｄ２（又はＤ１≒Ｄ２）の関係を満たすようにしてもよい。なお、上記したトラックピッチは、例えば、４００ｎｍである。
【００２５】
或いは、ＢＣＡ１１内における半径方向に隣接し合う溝１３同士の間の距離（トラックピッチ）Ｄ１を、データエリア２１内の溝２３同士の間の距離（トラックピッチ）Ｄ２の1.05倍〜0.50倍としてもよい。つまり、Ｄ２×０．５０≦Ｄ１≦Ｄ２×１．０５の関係を満たようにしてもよい。しかし、両エリアにおけるトラックピッチが全く同じであると、光学ドライブでＢＣＡ信号を再生する際に、トラッククロス信号が邪魔になり、ＢＣＡ信号の再生精度に問題が生じる場合もある。このため、ＢＣＡ１１内における半径方向に隣接し合う溝１３同士の間の距離（トラックピッチ）Ｄ１をデータエリア２１内における半径方向に隣接し合う溝２３同士の間の距離（トラックピッチ）Ｄ２よりも若干狭くし、光学ドライブのヘッドによりトラッククロス信号が読み難いようにしてもよい。つまり、Ｄ１＜Ｄ２の関係を満たすようにしてもよい。
【００２６】
さらに、トラッククロス信号がＢＣＡ信号を読む際の邪魔にならないようにするため、ＢＣＡ１１内における溝１３の幅Ｗを、半径方向に隣接し合う溝１３同士の間の距離（トラックピッチ）Ｄの半分より広くして、溝１３に色素を効率よく溜めつつトラッククロス信号を出にくくしてもよい。つまり、Ｄ／２＜Ｗの関係を満たすようにしてもよい。より好ましくは、ＢＣＡ１１内の溝１３の幅Ｗを、半径方向に隣接し合う溝１３同士の間の距離（トラックピッチ）Ｄの０．６倍〜０．８倍としてもよい。Ｄ×０．６＜Ｗ＜Ｄ×０．８の関係を満たすようにしてもよい。
【００２７】
追記型光ディスクとしては、記録マークの反射率が未記録部より低下するHigh to Low メディア、逆に記録マークの反射率が未記録部より上昇するLow to High メディア（例えば 特開2002-74740, 特開2002-206061にあるような色素を用いた場合）がある。本発明はどちらのメディアにも適用できる。さらには、図１に示すように、ＢＣＡ１１にＢＣＡパターン１２を記録する場合だけでなく、逆に白抜き文字のように”記録していない”部分によりＢＣＡパターン１２を形成する場合にも適用できる。
【００２８】
上記説明したように、光ディスクＯＤのＢＣＡ１１にあらかじめ溝１３を設け、この溝１３上に色素材料を塗布することにより、色素の実質的感度を向上させることが出来る。また、上記したように、溝１３のトラックピッチや幅を規定することにより、色素の感度を高めつつＢＣＡ信号を再生する際にその溝１３か邪魔にならないようにすることが出来る。
【００２９】
次に、図３〜図７を参照して、光ディスクＯＤのＢＣＡに記録されたＢＣＡパターン（管理情報）の再生について説明する。図３は、光ディスクＯＤのＢＣＡに記録されたＢＣＡパターン（管理情報）を再生する光ディスク装置の概略構成を示す図である。図４は、ＢＣＡにおけるビームスポットの動きを説明するための図である。図５は、ＢＣＡから直接得られる再生信号を説明するための図である。図６は、光ディスクＯＤのＢＣＡに記録されたＢＣＡパターン（管理情報）を再生する再生方法を説明するためのフローチャートである。図５は、ＢＣＡから得られた再生信号をフィルター処理した後の再生信号を説明するための図である。
【００３０】
図３に示すように、光ディスク装置は、コントローラ５１、記録信号処理回路５２、レーザードライバー（ＬＤ）５３、光ピックアップヘッド（ＰＵＨ）５４、プリアンプ５５、サーボ回路５６、ＢＣＡ信号処理回路５７、ＲＦ信号処理回路５８、アドレス信号処理回路５９を備えている。さらに、光ピックアップヘッド（ＰＵＨ）５４は、レーザー５４ａ、アクチュエーター（ＡＣＴ）５４ｂ、フォトディテクター（ＰＤ）５４ｃを備えている。
【００３１】
情報記録時には、コントローラ５１は記録信号を出力し、記録信号処理回路５２はこの記録信号を変調し、レーザードライバー（ＬＤ）５３は変調された記録信号に基づきレーザー５４ａを駆動する。つまり、レーザー５４ａは、記録信号に対応したレーザービームを照射する。これにより、光ディスクＯＤに対して情報が記録される。
【００３２】
情報再生時には、レーザードライバー（ＬＤ）５３は再生信号に基づきレーザー５４ａを駆動する。これにより、レーザー５４ａは、再生用のレーザービームを照射する。このレーザービームの照射により、光ディスクＯＤから反射される反射光は、フォトディテクター５４ｃにより検出される。フォトディテクター５４ｃは、反射光成分を電気信号として出力する。なお、フォトディテクター５４ｃは、複数の光検出素子（例えば４つの光検出素子）により構成されている。各光検出素子により検出された信号成分を加算した信号を和信号、またある光検出素子により検出された信号成分から残りの光検出素子により検出された信号成分を減算した信号を差信号と呼ぶ。プリアンプ５５は、フォトディテクター５４ｃから出力される電気信号を増幅する。
【００３３】
サーボ回路５６は、コントローラ５１からのサーボ制御信号及びフォトディテクター５４ｃにより検出されプリアンプにより増幅された電気信号に基づきサーボ信号を生成する。アクチュエーター（ＡＣＴ）５４ｂは、サーボ信号に基づき、フォーカス、トラッキング、チルトを制御する。
【００３４】
ＢＣＡ信号処理回路５７は、フォトディテクター５４ｃにより検出されプリアンプにより増幅された電気信号（和信号）を処理してＢＣＡパターンを再生する。ＢＣＡ信号処理回路５７は、ローパスフィルター５７ａを備えており、ローパスフィルター５７ａにより高周波成分のノイズが除去される。ＲＦ信号処理回路５８は、フォトディテクター５４ｃにより検出されプリアンプにより増幅された電気信号（和信号）を処理してコンテンツ情報を再生する。アドレス信号処理回路５９は、フォトディテクター５４ｃにより検出されプリアンプにより増幅された電気信号（和信号）を処理して物理アドレス情報を再生する。
【００３５】
図４に示すように、ＢＣＡ再生時には、再生光のビームスポットのトラッキング制御はオフになる。従って、再生光のビームスポットは、ＢＣＡ１１内の棒状のＢＣＡパターン１２を斜めに通過することがある。これに伴い、図５に示すように、ＢＣＡから直接得られる再生信号には、ＢＣＡパターン１２の信号成分に加えて、溝１３からの微小な信号がノイズとして含まれる。このノイズを除去するのが、図３に示すＢＣＡ信号処理回路５７のローパスフィルター５７ａである。
【００３６】
図６を参照して、ＢＣＡパターン１２の再生をまとめる。まず、光ディスクＯＤが装着され（ＳＴ３１）、スピンドルモータ３７が回転し（ＳＴ３２）、フォーカスがオンし（ＳＴ３３）、ビームスポットがＢＣＡ１１へ移動する（ＳＴ３４）。これにより、ＢＣＡ１１からの再生信号が得られ（ＳＴ３５）、ローパスフィルター処理（ＳＴ３６）を経て、図７に示すような高周波成分のノイズが除去された再生信号が得られる（ＳＴ３７）。この高周波成分のノイズの除去により、正確にＢＣＡを再生することができる。
【００３７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３８】
【図１】本発明の情報記憶媒体の一例の光ディスク（追記型光ディスク）におけるＢＣＡ（Burst Cutting Area）の構成を示す図である。
【図２】この光ディスクの作成方法の流れを示す図である。
【図３】光ディスクＯＤのＢＣＡに記録されたＢＣＡパターン（管理情報）を再生する光ディスク装置の概略構成を示す図である。
【図４】ＢＣＡにおけるビームスポットの動きを説明するための図である。
【図５】ＢＣＡから直接得られる再生信号を説明するための図である。
【図６】光ディスクＯＤのＢＣＡに記録されたＢＣＡパターン（管理情報）を再生する再生方法を説明するためのフローチャートである。
【図７】ＢＣＡから得られた再生信号をフィルター処理した後の再生信号を説明するための図である。
【符号の説明】
【００３９】
ＯＤ…光ディスク、ＳＴ…スタンパー、１１…ＢＣＡ、１２…ＢＣＡパターン、１３…溝、２１…データエリア、２３…溝、３１…コントローラ、３２…レーザー出力制御部、３３…フィード機構、３４…光ヘッド、５１…コントローラ、５２…記録信号処理回路、５３…レーザードライバー（ＬＤ）、５４…光ピックアップヘッド（ＰＵＨ）、５５…プリアンプ、５６…サーボ回路、５７…ＢＣＡ信号処理回路、５８…ＲＦ信号処理回路、５９…アドレス信号処理回路５４ａ…レーザー、５４ｂ…アクチュエーター（ＡＣＴ）、５４ｃ…フォトディテクター（ＰＤ）
【図１】
2006155785.tif 000003
【図２】
2006155785.tif 000004
【図３】
2006155785.tif 000005
【図４】
2006155785.tif 000006
【図５】
2006155785.tif 000007
【図６】
2006155785.tif 000008
【図７】
2006155785.tif 000009